(57)【要約】【課題】防水シートの敷設位置の精度にかかわらず精度よく接合片を位置決めすることができ、防水シートと接合片（押え板）の敷設の順序に関係なく適用でき、しかもコストをかけることなく墨出し作業を省略することが可能な、防水シートの接合片の位置決め定規を提供する。【解決手段】接合片の厚みに対応した厚さの可撓性シートからなり、接合片の配置パターンに対応した位置に該接合片の外形に対応したガイド部４ａ〜４ｃを穿設してなる。【選択図】図２
2009052221.tif 000002
【特許請求の範囲】
【請求項１】
所定の形状の複数個の接合片を床面に対して所定の配置パターンで取り付ける際に該接合片の位置決めに使用される定規であって、
前記接合片の配置パターンに対応した複数個の位置に該接合片の外形に対応したガイド部が穿設され、該ガイド部に配置された接合片の移動を防止し得る厚みを有する可撓性シートからなることを特徴とする定規。
【発明の詳細な説明】
【技術分野】
【０００１】
本発明は防水シートの絶縁工法に使用する接合片を所定のパターンで床面に配置、固定する為の定規に関するものである。
【背景技術】
【０００２】
従来より、建物の陸屋根やベランダ等の屋外の床面に防水層を形成する方法として、軟質のポリ塩化ビニル樹脂等からなる防水シートを敷設するシート防水工法がある（例えば特許文献１を参照）。この工法では、防水シートの伸縮や建物の変形によってシートが破損しないように、床面に対して全面的に固定せず点状に固定する、いわゆる絶縁工法にて敷設されることが多い。この絶縁工法においては、床面に格子状に墨出しをしてその交点上に鋼板等からなる接合片を配置して固定するのが一般的であり、墨出し作業に多大な手間を要していた。
【０００３】
この手間を解消する為の技術が特許文献２に開示されている。この技術は、防水シートの表面に予め格子状の目盛模様を形成しておき、この目盛模様を基準にして隣接する防水シート同士の重ねしろを確認しながら防水シートを敷設するとともに、目盛模様を目安として押え板をビスを用いて固定するものである。
【０００４】
【特許文献１】特開昭６０−１８４１５７号公報
【特許文献２】実開平６−２０６７３号公報
【発明の開示】
【発明が解決しようとする課題】
【０００５】
特許文献２の技術によれば、床面のシート防水工事において墨出しを省略することができ手間を削減することができる。しかし、防水シートの敷設位置の精度によって格子模様の位置の精度が左右されるので、防水シートを精度よく敷設しなければ格子模様を基準にして押え板で精度よく固定することができないという問題があった。
【０００６】
また、この技術が適用できるのは防水シートの上面から押え板で固定する工法、即ち、防水シートを押え板等に先行して敷設する場合に限られ、特許文献１で開示されているような床下地面に予め接合片を固定した上で防水シートを敷設する工法には適用できないという問題があった。
【０００７】
また、防水シートに対し特殊な目盛模様を形成しなければならず、コストがかさむという問題があった。
【０００８】
更に、防水シート表面に目盛模様が形成されている為、防水シート上に仕上げを施さない場合、目盛模様が露わになったままとなってしまい美観上の問題も発生した。
【０００９】
本発明は上記従来技術の課題を解決し、防水シートの敷設位置の精度にかかわらず精度よく接合片を位置決めすることができ、防水シートと接合片（押え板）の敷設の順序に関係なく適用でき、しかもコストをかけることなく墨出し作業を省略することが可能な、防水シートの接合片の位置決め定規を提供することを目的とするものである。
【課題を解決するための手段】
【００１０】
本発明は、所定の形状の複数個の接合片を床面に対して所定の配置パターンで取り付ける際に該接合片の位置決めに使用される定規であって、
前記接合片の配置パターンに対応した複数個の位置に該接合片の外形に対応したガイド部が穿設され、該ガイド部に配置された接合片の移動を防止し得る厚みを有する可撓性シートからなることを特徴とする。
【発明の効果】
【００１１】
本発明に係る定規によれば、防水シートの敷設の精度に影響されることなく、また墨出しをすることもなく所定のパターン通りに容易に接合片の位置決めをすることができる。また、防水シートと接合片の敷設の順序に関係なく適用できるので汎用性が高い。更に、繰り返し使用することができるので作業にかかるコストを抑えることができる。また更に、可撓性シートからなるので、例えば、丸めた状態で運搬できたり、障害物と干渉する部分を丸めたり折り曲げたりして障害物を除け床面に敷設することができるため、作業性が向上する。
【発明を実施するための最良の形態】
【００１２】
以下に、本発明の好ましい実施形態について図面を用いて説明する。
【００１３】
図１は、平面的に３０５ｍｍのモジュールを有する鉄骨造の工業化住宅の陸屋根における防水層の接合片の配置パターンを示す平面模式図である。係る陸屋根は、ＡＬＣ（軽量気泡コンクリート）パネルからなる床パネルの上に屋根勾配が凡そ１／１００の寄棟状になるように加工された押出発泡ポリスチレン断熱材を積層して床面２ａ〜２ｄが構成され、更に、該床面２ａ〜２ｄ上に軟質塩化ビニル製の防水シートを敷設することによって防水層が形成されている。図中、床面２ａ〜２ｄの各領域は、矢印Ａ〜Ｄの方向に水勾配を有している。３は接合片であり、所定のピッチＬで等間隔に配置されている。
【００１４】
防水シートは、図１におけるピッチＬがモジュールの２倍である６１０ｍｍとなるように床面２ａ〜２ｄに千鳥状に配置、固定された接合片３の上面に溶着されて、床面２ａ〜２ｄに点状に固定される。
【００１５】
接合片３は例えば厚み１ｍｍの円形の鋼板からなり、床面２ａ〜２ｄに対しビスからなる固定具によって固定される。
【００１６】
図２に本発明の定規の一実施形態の平面図を示す。係る定規１は、２４４０ｍｍ×１２２０ｍｍ（上記ピッチＬの４倍×２倍、即ちモジュールの８倍×４倍）の長方形の可撓性シートに、接合片３の外形に対応した開口部をガイド部として、接合片３の配置パターンに対応するように複数個穿設して構成されている。定規の内部に形成されたガイド部４ａは正円状であり、隅部のガイド部４ｂは４分の１円状、辺のガイド部４ｃは半円状に形成されている。
【００１７】
尚、定規１のサイズや形状は上記に限定されるものではなく、接合片３の配置パターンに対応したガイド部を有するものであればよいが、縦方向、横方向においてそれぞれ２個以上のガイド部を有する必要があり、より好ましくは、縦横の長さがピッチＬの整数倍となっており、隅部に４分の１円状のガイド部、辺部に半円状のガイド部を有するようにガイド部を配置する。
【００１８】
本発明の定規１の素材は、可撓性を有するものであれば特に限定されないが、耐久性や降雨等の影響を受けないという点で可撓性を有する軟質塩化ビニル等の軟質の合成樹脂が好ましい。また、定規の厚みは接合片３をガイド部４ｂに配置した際に該接合片３の移動を防止しうる程度の厚みが確保されていれば良いが、丸めた状態での運搬や収納を考慮すると、０．３〜２ｍｍ程度が好ましい。
【００１９】
図２の定規１を用いた接合片３の固定の手順の一例を図３〜図６を用いて説明する。
【００２０】
（１）定規１を、その隣接する２辺が床面２の基準外周辺２ｅ、２ｆに一致するように床面２上に敷設する〔図３（ａ）参照〕。
【００２１】
（２）定規１のガイド部４ａに合わせて接合片３を床面２に配置するとともに、固定具（不図示）にて固定する〔図３（ｂ）参照〕。図に示すように定規１の隅部のガイド部４ｂ、辺部のガイド部４ｃに対しても接合片３の外周縁の一部を噛み合わせることで接合片３の位置決めをすることができ、この工程により４列の接合片３を固定することができる。
【００２２】
（３）定規１の長辺を１２２０ｍｍ平行移動して（２）の工程で固定した接合片３のうち基準外周辺２ｅから最も遠い位置にある接合片３に定規１の隅部のガイド部４ｂ或いは辺部のガイド部４ｃを噛み合わせる〔図４（ａ）参照〕。尚、基準外周辺２ｅ側を捲り上げて基準外周辺２ｅとは反対側の長辺を基点として反転するようにして定規１を移動してもよい。
【００２３】
（４）（２）と同様の手順で定規１のガイド部４ａ〜４ｃを利用して接合片３を位置決めし、固定する〔図４（ｂ）参照〕。
【００２４】
（５）（３）、（４）の工程を繰り返す。
【００２５】
（６）床面２の周縁部で、固定すべき接合片３が１列或いは２列となる場合は、（３）の工程と同様に定規１の平行移動量を１２２０ｍｍとしてもよいし〔図５（ａ）参照〕、平行移動量を６１０ｍｍとして既設の接合片３に噛み合わせるガイド部４ａを多くしてもよい〔図５（ｂ）参照〕。
【００２６】
上記の手順の通り、定規１を用いることにより、既設の接合片３を位置決めの基準として、残りの固定すべき接合片３を順次位置決めして固定することができる。
【００２７】
尚、上記の手順では、定規１の長辺を平行移動させたが、短辺方向に平行移動させてもかまわない。但し、基準となる接合片３と噛み合うガイド部４ｂの数が多いほうが位置決めの精度が高く好ましい。
【００２８】
また、上記の手順は接合片３が固定された領域を直線的に拡大した例であるが、図６（ａ）、（ｂ）に示すように、基準となる既設の接合片３とガイド部４とを２箇所以上噛み合わせることさえできれば、どちらに向って領域を拡大してもよい。
【００２９】
また、床面２上に障害物が存在する場合は、障害物と干渉する部分については定規１を丸めたり折り曲げたりした状態で使用するなどして定規１を一部分のみ使用して施工することができる。
【００３０】
また、定規１は可撓性を有するので水勾配の棟に跨って敷設しても床面２の表面形状になじんで、床面２との間に隙間が生じにくいので、固定すべき接合片３の移動を防止することができる。
【００３１】
また、防水シート１の敷設の精度に影響されることなく、また墨出しをすることもなく所定のパターン通りに容易に接合片３の位置決めをすることができ、防水シート１と接合片３の敷設の順序に関係なく適用できるので汎用性も高い。
【産業上の利用可能性】
【００３２】
本発明の定規は、建物の陸屋根やベランダ等の屋外の床面に防水層を防水シートを敷設して形成する際に、防水シートを固定するための接合片の位置決めに用いる定規であり、フラットな床面に限らず、可撓性を利用して屈折した面や曲面にも適用することができる。
【図面の簡単な説明】
【００３３】
【図１】鉄骨造の工業化住宅の陸屋根における防水層の接合片の配置パターンを示す平面模式図である。
【図２】本発明の定規の一実施形態の平面図である。
【図３】図２の定規を用いた接合片の固定の手順を示す平面模式図である。
【図４】図２の定規を用いた接合片の固定の手順を示す平面模式図である。
【図５】図２の定規を用いた接合片の固定の手順を示す平面模式図である。
【図６】図２の定規を用いた接合片の固定の手順を示す平面模式図である。
【符号の説明】
【００３４】
１  定規
２，２ａ〜２ｄ  床面
２ｅ，２ｆ  床面２の辺
３  接合片
４ａ〜４ｃ  ガイド部
【図１】
2009052221.tif 000003
【図２】
2009052221.tif 000004
【図３】
2009052221.tif 000005
【図４】
2009052221.tif 000006
【図５】
2009052221.tif 000007
【図６】
2009052221.tif 000008